(57)【要約】【課題】レンズに着脱する際の環境温度が高温であっても低温であっても、常に適当な力量で着脱することが可能な使い勝手の良い嵌め込み式のレンズキャップを提供する。【解決手段】レンズ鏡筒の先端部分を内側から保持するための周方向へ延在した内側保持部２と、該内側保持部２の外周側にあって前記レンズ鏡筒の先端部分を外側から保持するための周方向へ延在した外側保持部３とを有し、内側保持部２の外周及び外側保持部３の内周には、前記レンズ鏡筒の軸方向へ延びた外側突起８及び内側突起７がそれぞれ設けられていることを特徴とする。【選択図】図１
2006039215.tif 000002
【特許請求の範囲】
【請求項１】
レンズ鏡筒の先端部分を内側から保持するための周方向へ延在した内側保持部と、該内側保持部の外周側にあって前記レンズ鏡筒の先端部分を外側から保持するための周方向へ延在した外側保持部とを有し、
前記内側保持部の外周及び前記外側保持部の内周には、前記レンズ鏡筒の軸方向へ延びた外側突起及び内側突起がそれぞれ設けられていることを特徴とする嵌め込み式のレンズキャップ。
【請求項２】
前記外側突起及び前記内側突起は、前記内側保持部の外周及び前記外側保持部の内周にそれぞれ複数個ずつ設けられており、周方向へ向かって交互に配置されていることを特徴とする請求項１に記載の嵌め込み式のレンズキャップ。
【請求項３】
前記外側突起と前記内側突起とは、前記レンズ鏡筒の中心軸を挟んで互い対向して配置されていることを特徴とする請求項１又は請求項２に記載の嵌め込み式のレンズキャップ。
【請求項４】
前記外側突起と前記内側突起とは、周方向へ向かって等間隔で配置されていることを特徴とする請求項１から請求項３のいずれか１項に記載の嵌め込み式のレンズキャップ。
【請求項５】
前記外側突起及び前記内側突起には、前記レンズ鏡筒の先端部分を支持する平坦部がそれぞれ設けられていることを特徴とする請求項１から請求項４のいずれか１項に記載の嵌め込み式のレンズキャップ。
【請求項６】
前記外側突起及び前記内側突起の先端には、前記レンズ鏡筒の先端部分を案内するために、前記レンズ鏡筒の軸方向へ向かって前記外側保持部側へ傾斜する案内部及び前記内側保持部側へ傾斜する案内部がそれぞれ設けられていることを特徴とする請求項１から請求項５のいずれか１項に記載の嵌め込み式のレンズキャップ。
【請求項７】
前記外側突起及び前記内側突起の後端には、前記レンズ鏡筒の軸方向へ向かって前記内側保持部側へ傾斜する傾斜部及び前記外側保持部側へ傾斜する傾斜部がそれぞれ設けられていることを特徴とする請求項１から請求項６のいずれか１項に記載の嵌め込み式のレンズキャップ。
【請求項８】
前記外側突起及び前記内側突起には、前記案内部と前記平坦部と前記傾斜部とがそれぞれ設けられており、
前記案内部は前記外側突起及び前記内側突起の先端、前記傾斜部は前記外側突起及び前記内側突起の後端、前記平坦部は前記外側突起及び前記内側突起における前記案内部と前記傾斜部との間にそれぞれ設けられていることを特徴とする請求項７に記載の嵌め込み式のレンズキャップ。
【請求項９】
前記外側保持部は、前記レンズ鏡筒の軸方向へ向かって前記内側保持部よりも長く延びていることを特徴とする請求項１から請求項８のいずれか１項に記載の嵌め込み式のレンズキャップ。
【発明の詳細な説明】
【技術分野】
【０００１】
本発明は、レンズキャップに関し、特に嵌め込み式のレンズキャップに関する。
【背景技術】
【０００２】
従来、レンズ鏡筒の先端部分の内周面に嵌合する円環フランジ形状の第１保持部と、該第１保持部の外周側に設けられた同じく円環フランジ形状の第２保持部とを備えた嵌め込み式のレンズキャップが提案されている（例えば、特許文献１を参照。）。
【特許文献１】特開平７−１１４０６０号公報
【発明の開示】
【発明が解決しようとする課題】
【０００３】
しかしながら、上記特許文献１に開示されている嵌め込み式のレンズキャップは、レンズに取り付けた際の環境温度が高温である場合は外れやすく、低温である場合は特に外れにくくなってしまうという問題がある。
【０００４】
そこで本発明は上記問題点に鑑みてなされたものであり、レンズに着脱する際の環境温度が高温であっても低温であっても、常に適当な力量で着脱することが可能な使い勝手の良い嵌め込み式のレンズキャップを提供することを目的とする。
【課題を解決するための手段】
【０００５】
上記課題を解決するために本発明は、
レンズ鏡筒の先端部分を内側から保持するための周方向へ延在した内側保持部と、該内側保持部の外周側にあって前記レンズ鏡筒の先端部分を外側から保持するための周方向へ延在した外側保持部とを有し、
前記内側保持部の外周及び前記外側保持部の内周には、前記レンズ鏡筒の軸方向へ延びた外側突起及び内側突起がそれぞれ設けられていることを特徴とする嵌め込み式のレンズキャップを提供する。
【０００６】
また、本発明の嵌め込み式のレンズキャップは、
前記外側突起及び前記内側突起は、前記内側保持部の外周及び前記外側保持部の内周にそれぞれ複数個ずつ設けられており、周方向へ向かって交互に配置されていることを特徴とする。
【０００７】
また、本発明の嵌め込み式のレンズキャップは、
前記外側突起と前記内側突起とは、前記レンズ鏡筒の中心軸を挟んで互い対向して配置されていることを特徴とする。
【０００８】
また、本発明の嵌め込み式のレンズキャップは、
前記外側突起と前記内側突起とは、周方向へ向かって等間隔で配置されていることを特徴とする。
【０００９】
また、本発明の嵌め込み式のレンズキャップは、
前記外側突起及び前記内側突起には、前記レンズ鏡筒の先端部分を支持する平坦部がそれぞれ設けられていることを特徴とする。
【００１０】
また、本発明の嵌め込み式のレンズキャップは、
前記外側突起及び前記内側突起の先端には、前記レンズ鏡筒の先端部分を案内するために、前記レンズ鏡筒の軸方向へ向かって前記外側保持部側へ傾斜する案内部及び前記内側保持部側へ傾斜する案内部がそれぞれ設けられていることを特徴とする。
【００１１】
また、本発明の嵌め込み式のレンズキャップは、
前記外側突起及び前記内側突起の後端には、前記レンズ鏡筒の軸方向へ向かって前記内側保持部側へ傾斜する傾斜部及び前記外側保持部側へ傾斜する傾斜部がそれぞれ設けられていることを特徴とする。
【００１２】
また、本発明の嵌め込み式のレンズキャップは、
前記外側突起及び前記内側突起には、前記案内部と前記平坦部と前記傾斜部とがそれぞれ設けられており、
前記案内部は前記外側突起及び前記内側突起の先端、前記傾斜部は前記外側突起及び前記内側突起の後端、前記平坦部は前記外側突起及び前記内側突起における前記案内部と前記傾斜部との間にそれぞれ設けられていることを特徴とする。
【００１３】
また、本発明の嵌め込み式のレンズキャップは、
前記外側保持部は、前記レンズ鏡筒の軸方向へ向かって前記内側保持部よりも長く延びていることを特徴とする。
【発明の効果】
【００１４】
本発明によれば、レンズに着脱する際の環境温度が高温であっても低温であっても、常に適当な力量で着脱することが可能な使い勝手の良い嵌め込み式のレンズキャップを提供することができる。
【発明を実施するための最良の形態】
【００１５】
図１は、本発明の実施形態に係る嵌め込み式のレンズキャップの構成を示す背面図であり、図２は、図１に示す本発明の実施形態に係る嵌め込み式のレンズキャップのＡ−Ａ’断面図である。
図１及び図２に示すように本発明の実施形態に係る嵌め込み式のレンズキャップ１は、例えばワイドコンバータレンズ等に取り付けるためのレンズキャップであって、不図示のレンズ鏡筒の先端部分を内側から保持するための周方向へ延在した円環フランジ形状の内側保持部２と、該内側保持部２の外周側にあって前記レンズ鏡筒の先端部分を外側から保持するための周方向へ延在した円環フランジ形状の外側保持部３とが、ベース部４上に一体的に設けられている。したがって本実施形態に係るレンズキャップ１をレンズに取り付ける際には、内側保持部２と外側保持部３によって形成された円環状の溝５にレンズ鏡筒の先端部分が嵌め込まれることとなる。なお、図２に示すようにベース部４には、不図示のレンズフードを嵌め合わせて取り付けるための取り付け溝６が外周にわたって形成されている。
【００１６】
図３（ａ），（ｂ）はそれぞれ、図２に示す本発明の実施形態に係る嵌め込み式のレンズキャップの要部拡大図である。
図３（ａ）に示すように内側保持部２は、図中上方から下方に向かってすなわち溝底５ａに向かって、断面の幅が緩やかに広がる山形状をしている。また、図３（ｂ）に示すように外側保持部３は、断面の幅を略均一に保ちつつ溝底５ａに向かって、不図示のレンズ鏡筒の中心軸すなわちレンズキャップの中心軸Ｏ側に緩やかに傾斜している。
このような形状の内側保持部２は、溝底５ａからの高さが外側保持部３よりも低く形成されており、本実施形態においては、その幅すなわち厚みが１ｍｍ以内に形成されている。これらの構成により、本実施形態に係るレンズキャップ１をレンズ鏡筒から取り外す際に、取り外しにくくなることを防ぐことができる。
【００１７】
さらに本実施形態に係る嵌め込み式のレンズキャップ１は、内側保持部２の外周及び外側保持部３の内周の複数箇所に、中心軸Ｏ方向へ延びた外側突起８及び内側突起７（以下、単に「外リブ８」及び「内リブ７」と言う。）がそれぞれ一体的に設けられている。本実施形態において外リブ８及び内リブ７は、図１に示すようにそれぞれ内側保持部２の外周及び外側保持部３の内周に５個ずつ設けられており、さらに周方向へ向かって等間隔で交互に、かつ外リブ８と内リブ７とが中心軸Ｏを挟んで対向するように設けられている。
【００１８】
図３（ａ）に示すように外側保持部３の内周に設けられた内リブ７には、溝底５ａに向かって順に、案内部７ａ、平坦部７ｂ、及び傾斜部７ｃが形成されている。
案内部７ａは、図中上方から見て徐々に中心軸Ｏ側に傾斜しており、これによってレンズ鏡筒の先端部分を溝５内へ案内することができる。なお、本実施形態において案内部７ａは、後述の平坦部７ｂに対して傾きが約３０°となるように形成されている。
【００１９】
また平坦部７ｂは、溝底５ａまで案内されたレンズ鏡筒の先端部分を外側から支持するための中心軸Ｏに対して平行な面からなる。これにより、レンズ鏡筒の先端部分を外側から適切な支持力で支持することが可能となる。ここで、本来平坦部７ｂは溝底５ａまで延在していることが好ましい。しかしながら平坦部７ｂを溝底５ａまで延長しようとすれば、レンズキャップの製造工程上、延長した部分が図中上方から見て徐々に中心軸Ｏ側へ傾斜して形成されてしまうため、レンズ鏡筒の先端部分を適切に支持することができなくなってしまうという問題が発生してしまう。このため本実施形態では、斯かる製造上の問題を考慮して傾斜部７ｃが設けられている。
傾斜部７ｃは、図中上方から見て徐々に外側に傾斜しており、本実施形態では平坦部７ｂに対して傾きが約１°となるように形成されている。これにより、前述の製造上の問題を解消することが可能となる。
【００２０】
また、図３（ｂ）に示すように内側保持部２の外周に設けられた外リブ８には、溝底５ａに向かって順に、案内部８ａ、平坦部８ｂ、及び傾斜部８ｃが形成されている。
案内部８ａは、図中上方から見て徐々に外側に傾斜しており、これによってレンズ鏡筒の先端部分を溝５内へ案内することができる。なお、本実施形態において案内部８ａは、後述の平坦部８ｂに対して傾きが約３０°となるように形成されている。
【００２１】
また平坦部８ｂは、溝底５ａまで案内されたレンズ鏡筒の先端部分を内側から支持するための中心軸Ｏに対して平行な面からなる。これにより、レンズ鏡筒の先端部分を内側から適切な支持力で支持することが可能となる。ここで、本来平坦部８ｂは溝底５ａまで延在していることが好ましい。しかしながら平坦部８ｂを溝底５ａまで延長しようとすれば、レンズキャップの製造工程上、延長した部分が図中上方から見て徐々に中心軸Ｏ側へ傾斜して形成されてしまうため、レンズ鏡筒の先端部分を適切に支持することができなくなってしまうという問題が発生してしまう。このため本実施形態では、斯かる製造上の問題を考慮して傾斜部８ｃが設けられている。
傾斜部８ｃは、図中上方から見て徐々に外側に傾斜しており、本実施形態では平坦部８ｂに対して傾きが約１°となるように形成されている。これにより、前述の製造上の問題を解消することが可能となる。
【００２２】
本発明のレンズキャップを構成する素材は、ポリエチレン、ポリプロピレン、ポリカーボネート等の比較的軟らかい素材が好ましく、本実施形態のレンズキャップ１はこの中で最も好ましいポリエチレンによって構成されている。
以上の構成の下、本実施形態に係るレンズキャップ１をレンズ鏡筒の先端に着脱する際の環境温度が高温（例えば、７０℃）である場合、レンズキャップ１全体が膨張し、外側保持部３に設けられた内リブ７の平坦部７ｂで構成される内径も、内側保持部２に設けられた外リブ８の平坦部８ｂで構成される外径もともに大きくなる。これに対してレンズ鏡筒は、一般にアルミ等の金属で構成されているため、レンズキャップの膨張に比べその割合は小さい。このため、外リブ８の平坦部８ｂは、レンズ鏡筒にその内側から力を加えることとなる。したがって高温時は、内側保持部２に設けられた外リブ８の平坦部８ｂによってレンズ鏡筒を内側から保持することができる。
【００２３】
一方、環境温度が低温（例えば、２０℃）である場合、レンズキャップ１全体が縮小し、内リブ７の平坦部７ｂで構成される内径も外リブ８の平坦部８ｂで構成される外径もともに小さくなる。これに対し上述のようにレンズ鏡筒は、レンズキャップ１の膨張に比べてその割合は小さい。このため、内リブ７の平坦部７ｂは、レンズ鏡筒にその外側から力を加え締め付けることとなる。したがって低温時は、外側保持部３に設けられた内リブ７の平坦部７ｂによってレンズ鏡筒を外側から保持することができる。
【００２４】
以上のように本実施形態に係るレンズキャップ１は、レンズに着脱する際の環境温度が高温である場合には内側保持部２の外リブ８でレンズ鏡筒を保持し、環境温度が低温である場合には外側保持部３の内リブ７でレンズ鏡筒を保持することができる。これにより、環境温度によらず常に適当な力量で着脱することが可能となる。
また、上述のように内側保持部２の外リブ８及び外側保持部３の内リブ７を、周方向へ向かって等間隔で交互に、かつ外リブ８と内リブ７とが中心軸Ｏを挟んで対向するように配置することで、レンズキャップ１をレンズ鏡筒から取りづらくなることなく、環境温度によらず常に適当な力量で着脱することがさらに良くできる。
なお、本発明のレンズキャップは、レンズ鏡筒への着脱に限られず、フィルタの鏡筒等のキャップを要する鏡筒部材全般に応用することができる。
【００２５】
以上本実施形態によれば、レンズに着脱する際の環境温度が高温であっても低温であっても、常に適当な力量で着脱することが可能な使い勝手の良い嵌め込み式のレンズキャップを提供することができる。
【図面の簡単な説明】
【００２６】
【図１】本発明の実施形態に係る嵌め込み式のレンズキャップの構成を示す背面図である。
【図２】図１に示す本発明の実施形態に係る嵌め込み式のレンズキャップのＡ−Ａ’断面図である。
【図３】（ａ），（ｂ）はそれぞれ、図２に示す本発明の実施形態に係る嵌め込み式のレンズキャップの要部拡大図である。
【符号の説明】
【００２７】
１    嵌め込み式のレンズキャップ
２    内側保持部
３    外側保持部
４    ベース部
７    内リブ
８    外リブ
Ｏ    レンズキャップの中心軸
【図１】
2006039215.tif 000003
【図２】
2006039215.tif 000004
【図３】
2006039215.tif 000005